(57)【特許請求の範囲】
【請求項１】
少なくとも加熱調理を含む調理動作を実行する調理実行部と、
連続する複数の調理動作を設定する設定情報を受け付け可能な入力部と、
前記入力部が受け付けた前記設定情報に応じた前記複数の調理動作を、連続して前記調理実行部に実行させる制御部と、
ユーザに情報を出力する出力部と、
前記設定情報を記憶する記憶部と
を備え、
前記設定情報には、前記複数の調理動作それぞれの設定時間が含まれ、
前記調理実行部は、複数種類の調理動作を実行可能であり、
前記制御部は、
前記入力部が受け付けた登録を指示する登録指示に応じて、前記入力部が受け付けた前記設定情報を前記記憶部に記憶させ、
前記記憶部に記憶されている前記設定情報のうちの少なくとも１つを指定する指定情報を前記入力部が受け付けた場合に、当該指定情報によって指定された前記設定情報に応じた前記複数の調理動作を、連続して前記調理実行部に実行させ、
前記記憶部に記憶されている前記設定情報に応じた前記複数の調理動作を実行させる際に、前記入力部によって、前記複数の調理動作のうちの１つの設定時間が変更された場合に、変更された当該設定時間に応じて、他の調理動作の設定時間を変更し、
種類の異なる調理動作を連続して実行する場合に、各調理動作において使用不可能な容器を示す情報を含む各調理動作に応じた使用器具に関する注意を促す情報を、前記種類の異なる調理動作を連続して実行する前に、前記出力部に出力させる
ことを特徴とする加熱調理器。
【請求項２】
少なくとも加熱調理を含む調理動作を実行する調理実行部と、
連続する複数の調理動作を設定する設定情報を受け付け可能な入力部と、
前記入力部が受け付けた前記設定情報に応じた前記複数の調理動作を、連続して前記調理実行部に実行させる制御部と、
ユーザに情報を出力する出力部と、
前記設定情報を記憶する記憶部と
を備え、
前記設定情報には、前記複数の調理動作それぞれの設定時間が含まれ、
前記調理実行部は、複数種類の調理動作を実行可能であり、
前記出力部には、表示部が含まれ、
前記制御部は、
前記入力部が受け付けた登録を指示する登録指示に応じて、前記入力部が受け付けた前記設定情報を前記記憶部に記憶させ、
前記記憶部に記憶されている前記設定情報のうちの少なくとも１つを指定する指定情報を前記入力部が受け付けた場合に、当該指定情報によって指定された前記設定情報に応じた前記複数の調理動作を、連続して前記調理実行部に実行させ、
前記記憶部に記憶されている前記設定情報に応じた前記複数の調理動作を実行させる際に、前記入力部によって、前記複数の調理動作のうちの１つの設定時間が変更された場合に、変更された当該設定時間に応じて、他の調理動作の設定時間を変更し、
種類の異なる調理動作を連続して実行する場合に、各調理動作に応じた使用器具に関する注意を促す情報を前記出力部に出力させ、第１の調理動作を実行中に、現在実行中の前記第１の調理動作を示す情報とともに、当該第１の調理動作の次に実行させる第２の調理動作を示す情報を前記表示部に表示させる
ことを特徴とする加熱調理器。
【請求項３】
少なくとも加熱調理を含む調理動作を実行する調理実行部と、
連続する複数の調理動作を設定する設定情報を受け付け可能な入力部と、
前記入力部が受け付けた前記設定情報に応じた前記複数の調理動作を、連続して前記調理実行部に実行させる制御部と、
前記設定情報を記憶する記憶部と
を備え、
前記設定情報には、前記複数の調理動作それぞれの設定時間が含まれ、
前記制御部は、
前記入力部が受け付けた登録を指示する登録指示に応じて、前記入力部が受け付けた前記設定情報を前記記憶部に記憶させ、
前記記憶部に記憶されている前記設定情報のうちの少なくとも１つを指定する指定情報を前記入力部が受け付けた場合に、当該指定情報によって指定された前記設定情報に応じた前記複数の調理動作を、連続して前記調理実行部に実行させ、
前記記憶部に記憶されている前記設定情報に応じた前記複数の調理動作を実行させる際に、前記入力部によって、前記複数の調理動作のうちの１つの設定時間が変更された場合に、変更された当該設定時間に応じて、他の調理動作の設定時間を変更する
ことを特徴とする加熱調理器。
【請求項４】
前記複数の調理動作は、被加熱物を冷ます調理動作を含む
ことを特徴とする請求項１から請求項３のいずれか一項に記載の加熱調理器。
【発明の詳細な説明】
【技術分野】
【０００１】
本発明は、加熱調理器に関する。
【背景技術】
【０００２】
近年、調理の際に実施する加熱調理の動作をユーザが設定可能な加熱調理器が知られている（例えば、特許文献１を参照）。
【先行技術文献】
【特許文献】
【０００３】
【特許文献１】特開２００２−１８８８１５号公報
【発明の概要】
【発明が解決しようとする課題】
【０００４】
しかしながら、上述のような加熱調理器では、一度に設定できる加熱調理の調理動作は１種類であり、例えば、連続して異なる調理動作を実施する場合には、利便性が低下することがあった。
【０００５】
本発明は、上記のような状況に鑑みてなされたもので、その目的は、利便性を向上させることができる加熱調理器を提供することにある。
【課題を解決するための手段】
【０００６】
本発明の一態様は、少なくとも加熱調理を含む調理動作を実行する調理実行部と、連続する複数の調理動作を設定する設定情報を受け付け可能な入力部と、前記入力部が受け付けた前記設定情報に応じた前記複数の調理動作を、連続して前記調理実行部に実行させる制御部とを備えることを特徴とする加熱調理器である。
【０００７】
また、本発明の一態様は、上記の加熱調理器において、前記入力部は、前記複数の調理動作のそれぞれの動作条件を含む情報を前記設定情報として受け付け、前記制御部は、前記動作条件に基づく前記複数の調理動作を、連続して前記調理実行部に実行させることを特徴とする。
【０００８】
また、本発明の一態様は、上記の加熱調理器において、ユーザに情報を出力する出力部を備え、前記調理実行部は、複数種類の調理動作を実行可能であり、前記制御部は、種類の異なる調理動作を連続して実行する場合に、各調理動作に応じた使用器具に関する注意を促す情報を前記出力部に出力させることを特徴とする。
【０００９】
また、本発明の一態様は、上記の加熱調理器において、前記調理動作の種類には、マイクロ波により加熱する電子レンジと、電熱器の発熱に基づいて加熱するオーブンとが含まれることを特徴とする。
【００１０】
また、本発明の一態様は、上記の加熱調理器において、前記使用器具に関する注意を促す情報には、各調理動作において使用不可能な容器を示す情報が含まれることを特徴とする。
【００１１】
また、本発明の一態様は、上記の加熱調理器において、前記出力部には、表示部が含まれ、前記制御部は、前記連続する複数の調理動作を前記調理実行部に実行させる際に、第１の調理動作を示す情報を前記表示部に表示させるとともに、当該第１の調理動作の次に実行させる第２の調理動作を示す情報を前記表示部に表示させることを特徴とする。
【００１２】
また、本発明の一態様は、上記の加熱調理器において、前記設定情報を記憶する記憶部を備え、前記制御部は、前記入力部が受け付けた登録を指示する登録指示に応じて、前記入力部が受け付けた前記設定情報を前記記憶部に記憶させ、前記記憶部に記憶されている前記設定情報のうちの少なくとも１つを指定する指定情報を前記入力部が受け付けた場合に、当該指定情報によって指定された前記設定情報に応じた前記複数の調理動作を、連続して前記調理実行部に実行させることを特徴とする。
【００１３】
また、本発明の一態様は、上記の加熱調理器において、前記設定情報は、前記複数の調理動作それぞれの設定時間が含まれ、前記制御部は、前記記憶部に記憶されている前記設定情報に応じた前記複数の調理動作を実行させる際に、前記入力部によって、前記複数の調理動作のうちの１つの設定時間が変更された場合に、変更された当該設定時間に応じて、他の調理動作の設定時間を変更することを特徴とする。
【発明の効果】
【００１４】
本発明によれば、利便性を向上させることができる。
【図面の簡単な説明】
【００１５】
【図１】第１の実施形態による加熱調理器の一例を示す外観図である。
【図２】第１の実施形態による加熱調理器の一例を示す機能ブロック図である。
【図３】第１の実施形態における受付設定記憶部のデータ例を示す図である。
【図４】第１の実施形態における登録情報記憶部のデータ例を示す図である。
【図５】第１の実施形態による複数の加熱調理の動作を設定する場合の表示例を示す図である。
【図６】第１の実施形態による加熱調理器の動作の一例を示すフローチャートである。
【図７】第１の実施形態による複数の加熱調理の動作を実行する場合の一例を示すフローチャートである。
【図８】第１の実施形態による複数の加熱調理の動作を実行する場合の表示例を示す図である。
【図９】第２の実施形態による加熱調理器の一例を示す機能ブロック図である。
【図１０】第２の実施形態におけるランク情報記憶部のデータ例を示す図である。
【図１１】第２の実施形態におけるキャラクター情報記憶部のデータ例を示す図である。
【図１２】第２の実施形態におけるキャラクターの変化の一例を示す図である。
【図１３】第２の実施形態による加熱調理器の動作の一例を示すフローチャートである。
【図１４】第３の実施形態による家電システムの一例を示す機能ブロック図である。
【図１５】第３の実施形態による家電システムの動作の一例を示す図である。
【図１６】第３の実施形態による家電機器の動作の一例を示すフローチャートである。
【発明を実施するための形態】
【００１６】
以下、本発明の一実施形態による加熱調理器について図面を参照して説明する。
［第１の実施形態］
図１は、本実施形態による加熱調理器１の一例を示す外観図である。
加熱調理器１は、ほぼ直方体の外観を有し、その前面の大部分を占める開口には扉ＤＲが回動自在に取り付けられている。加熱調理器１は、前面の右端部に操作パネル部１０を備えている。
操作パネル部１０は、加熱調理器１の各種操作を行うためのパネルであり、例えば、入力部１１及び表示部１２を備えている。
【００１７】
入力部１１は、例えば、複数の操作キー、及び後述する表示部１２に重ねて配置されているタッチパネルなどを有しており、ユーザにより各種操作を受け付ける。入力部１１は、例えば、連続する複数の加熱調理の動作（調理動作）を設定する設定情報を受け付け可能である。入力部１１は、例えば、複数の加熱調理のそれぞれの動作条件を含む情報を設定情報として受け付ける。ここで、動作条件とは、加熱調理の動作の条件を示し、動作条件は、例えば、加熱温度（又は電子レンジの場合は出力値）、加熱時間などを含んでいる。
【００１８】
表示部１２は、ユーザに情報を出力する出力部であり、例えば、液晶表示装置などである。表示部１２は、加熱調理器１の各種操作が行われる際に各種情報を表示する。なお、入力部１１をタッチパネルとし、そして表示部１２を液晶表示装置のディスプレイパネルとして、両者を重ね合わせて一体に構成されてもよい。
【００１９】
また、図２は、本実施形態による加熱調理器１の一例を示す機能ブロック図である。
図２に示すように、加熱調理器１は、操作パネル部１０と、音声出力部１３と、加熱調理部２０と、記憶部３０と、制御部４０とを備えている。
【００２０】
音声出力部１３は、例えば、スピーカであり、表示部１２と同様に、ユーザに情報を出力する出力部である。音声出力部１３は、例えば、加熱調理器１の操作における各種ガイダンスや注意、警告などを示す情報を音声によりユーザに出力する。
【００２１】
加熱調理部２０（調理実行部の一例）は、食材などの少なくとも加熱調理を含む調理動作を実行する。なお、本実施形態による加熱調理器１は、例えば、マイクロ波により加熱する電子レンジ（以下、レンジということがある）、電熱器の発熱に基づく熱風、輻射熱、又はトレイからの熱伝導により加熱するオーブン／グリル、過熱水蒸気により加熱するウォーターオーブン／ウォーターグリルなどの複数種類の加熱調理の動作の一つ又はその任意の組み合わせを実行可能である。このように、加熱調理の種類には、マイクロ波により加熱する電子レンジと、電熱器の発熱に基づいて加熱するオーブンとが含まれる。なお、調理動作は、例えば、食材を食べやすい温度に冷ますなどの冷却調理を含めてもよい。
また、加熱調理部２０は、給水ポンプ２１、蒸気発生用ヒータ２２、ヒータ２３、マグネトロン２４、冷却ファン２５、及び庫内温度センサ２６を備えている。
【００２２】
給水ポンプ２１は、給水タンク（不図示）内の水を蒸気発生用ヒータ２２に供給する。
蒸気発生用ヒータ２２（電熱器の一例）は、給水ポンプ２１から供給された水を加熱して、水蒸気を発生させる。すなわち、蒸気発生用ヒータ２２は、上述したウォーターオーブン又はウォーターグリルによる加熱調理の際に、水蒸気を発生する。
【００２３】
ヒータ２３（電熱器の一例）は、例えば、ウォーターオーブン又はウォーターグリルによる加熱調理の際に、蒸気発生用ヒータ２２によって発生された水蒸気を過熱して過熱水蒸気を発生させる。ここで、過熱水蒸気とは、１００℃以上の過熱状態にまで加熱された水蒸気のことである。また、ヒータ２３は、例えば、オーブン又はグリルによる加熱調理の際に発熱し、熱風、輻射熱又はトレイからの熱伝導によって被加熱物（例えば、食材）を加熱する。
【００２４】
マグネトロン２４は、例えば、電子レンジによる加熱調理の際に、マイクロ波を発生させる。
冷却ファン２５は、給水ポンプ２１などの電装品を冷却する。
庫内温度センサ２６は、被加熱物を過熱する加熱庫（不図示）内の空間温度を検出する。
【００２５】
記憶部３０は、加熱調理器１を動作させる際に利用される各種情報を記憶する。記憶部３０は、例えば、受付設定記憶部３１と、登録情報記憶部３２とを備えている。
受付設定記憶部３１は、操作パネル部１０の入力部１１によって受け付けられた、加熱調理の動作を示す情報（例えば、加熱調理の種類、温度／出力、加熱時間など）を一時的に記憶する。なお、本実施形態による加熱調理器１は、連続する複数の加熱調理の動作を設定可能であり、受付設定記憶部３１は、連続する複数の加熱調理の動作を設定する設定情報を記憶する。受付設定記憶部３１は、例えば、図３に示すように、「ＮＯ．」と、「加熱種類」と、「温度／出力」と、「加熱時間」とを関連付けて記憶する。
【００２６】
図３は、本実施形態における受付設定記憶部３１のデータ例を示す図である。
ここで、「ＮＯ．」は、入力部１１によって受け付けられた加熱調理の番号を示し、「加熱種類」は、加熱調理の種類を示している。また、「温度／出力」は、オーブン等による加熱の際に設定される加熱温度、又は、電子レンジによる加熱の際に設定されるマグネトロン２４の出力値を示している。また、「加熱時間」は、入力部１１によって受け付けられた加熱調理の加熱時間を示している。なお、「温度／出力」、及び「加熱時間」は、上述した入力部が受け付けた動作条件である。
【００２７】
図３の示す例では、受付設定記憶部３１は、入力部１１から「ＮＯ．」が“１”と“２”との２種類の加熱調理を連続して実行する設定情報を受け付けて、当該設定情報を記憶している。この例では、「ＮＯ．」が“１”の加熱調理の動作は、「加熱種類」が“レンジ”、「温度／出力」が“６００Ｗ”、「加熱時間」が“４分”であることを示している。また、「ＮＯ．」が“２”の加熱調理の動作は、「加熱種類」が“オーブン”、「温度／出力」が“１７０℃”、「加熱時間」が“１０分”であることを示している。
【００２８】
図２の説明に戻り、登録情報記憶部３２は、加熱調理器１に登録されている各種加熱調理の動作の設定を示す登録情報を記憶する。登録情報記憶部３２は、例えば、入力部１１によって受け付けられた加熱調理の動作の設定を、ユーザによって加熱調理器１に登録する登録指示がされた場合に、当該加熱調理の動作の設定（設定情報）を登録情報として記憶する。登録情報記憶部３２は、例えば、図４に示すように、「登録ＮＯ．」と、「ＮＯ．」と、「加熱種類」と、「温度／出力」と、「加熱時間」とを関連付けて記憶する。
【００２９】
図４は、本実施形態における登録情報記憶部３２のデータ例を示す図である。
ここで、「登録ＮＯ．」は、登録情報の登録番号を示している。また、「ＮＯ．」、「加熱種類」、「温度／出力」、及び「加熱時間」は、図３と同様である。
図４の示す例では、登録情報記憶部３２は、図３に示す設定情報の一例を登録した場合の例を示している。
【００３０】
再び、図２の説明に戻り、制御部４０は、例えば、ＣＰＵ（Central Processing Unit）などを含むプロセッサであり、加熱調理器１を統括的に制御する。制御部４０は、例えば、ユーザの操作によって入力部１１が受け付けた加熱調理の動作の指示に基づいて、加熱調理部２０の各部を制御し、加熱調理を実行させる。制御部４０は、例えば、入力部１１が受け付けた設定情報に応じた複数の加熱調理の動作を、連続して加熱調理部２０に実行させる。具体的に、制御部４０は、入力部１１が受け付けた設定情報を受付設定記憶部３１に記憶させる。すなわち、制御部４０は、入力部１１が受け付けた複数の加熱調理のそれぞれの加熱調理の種類及び動作条件を取得し、取得した複数の加熱調理の種類及び動作条件を含む情報を設定情報として受付設定記憶部３１に記憶させる。制御部４０は、受付設定記憶部３１が記憶する設定情報に基づいて、複数の加熱調理の動作を連続して加熱調理部２０に実行させる。すなわち、制御部４０は、受付設定記憶部３１が記憶する複数の加熱調理の各動作条件に基づいて、複数の加熱調理の動作を連続して加熱調理部２０に実行させる。
【００３１】
例えば、入力部１１から“オーブン、１７０℃、１５分”と、“オーブン、２５０℃、５分”とを連続して実行する設定情報を受け付けたとする。この場合、制御部４０は、まず、加熱調理部２０に、“オーブン、１７０℃、１５分”の加熱調理の動作を実行させた後、“オーブン、２５０℃、５分”の加熱調理の動作を実行させる。
また、入力部１１から“レンジ、６００Ｗ、４分”と、“オーブン、１７０℃、１０分”とを連続して実行する設定情報を受け付けたとする。この場合、制御部４０は、まず、加熱調理部２０に、“レンジ、６００Ｗ、４分”の加熱調理の動作を実行させた後、“オーブン、１７０℃、１０分”の加熱調理の動作を実行させる。
【００３２】
また、制御部４０は、例えば、表示部１２又は音声出力部１３を制御し、例えば、操作指示や警告などのユーザに提示する情報をユーザに出力させる。制御部４０は、例えば、種類の異なる加熱調理の動作を連続して実行する場合に、各加熱調理の動作に応じた使用器具に関する注意を促す情報を表示部１２に出力させる。ここで、使用器具に関する注意を促す情報には、各加熱調理の動作において使用不可能な容器を示す情報が含まれる。
【００３３】
具体的に、上述した“レンジ、６００Ｗ、４分”と、“オーブン、１７０℃、１０分”とを連続して実行する場合には、制御部４０は、使用可能な容器等が異なるので、例えば、加熱調理を開始する際に、使用器具に関する注意を促す情報を表示部１２に表示させる。上述した場合には、制御部４０は、例えば、“レンジのときは、金属容器を使わないでください。”、“オーブンのときは、ラップやプラスチック容器を使わないでください。”などを表示部１２に表示させる。
なお、制御部４０は、上述のような表示を加熱調理の動作の切り替わりの際に、表示部１２に表示させてもよい。また、制御部４０は、例えば、オーブンの場合には、専用のトレイを使用するなどの必要な使用器具に関する情報を表示部１２に表示させてもよい。
【００３４】
また、制御部４０は、例えば、連続する複数の加熱調理の動作を加熱調理部２０に実行させる際に、図５に示すように、現在実行中の加熱調理の動作を示す情報を表示部１２に表示させるとともに、次に実行させる加熱調理の動作を示す情報を表示部１２に表示させる。
図５は、本実施形態による複数の加熱調理の動作を設定する場合の表示例を示す図である。
この図に示す例は、画像Ｇ１は、“レンジ、６００Ｗ、４分”と、“オーブン、１７０℃、１０分”とを連続して実行する場合の表示例を示している。この場合、制御部４０は、現在実行中の加熱調理の動作を示す情報（“レンジ、６００Ｗ、４分”）を表示するとともに、次に実行させる加熱調理の動作を示す情報（“オーブン、１７０℃、１０分”）を表示部１２に表示させる。
【００３５】
また、制御部４０は、ユーザの操作によって入力部１１が受け付けた登録を指示する登録指示に応じて、入力部１１が受け付けた設定情報を記憶部３０の登録情報記憶部３２に記憶させる。すなわち、制御部４０は、ユーザからの登録指示に応じて、受付設定記憶部３１が記憶する設定情報を登録情報として登録情報記憶部３２に記憶させる。制御部４０は、例えば、図３に示すように、「登録ＮＯ．」と、設定情報とを関連付けて登録情報記憶部３２に記憶させる。
また、制御部４０は、ユーザの操作によって入力部１１が「登録ＮＯ．」を受け付けた場合に、「登録ＮＯ．」に関連付けて登録情報記憶部３２に記憶されている設定情報に基づいて、加熱調理の動作を加熱調理部２０に実行させる。すなわち、制御部４０は、登録情報記憶部３２記憶されている設定情報のうちの少なくとも１つを指定する指定情報を入力部１１が受け付けた場合に、当該指定情報によって指定された設定情報に応じた複数の加熱調理の動作を連続して加熱調理部２０に実行させる。制御部４０は、登録情報記憶部３２に記憶されている設定情報に基づいて加熱調理の動作を実行させる場合、例えば、登録情報記憶部３２に記憶されている設定情報を受付設定記憶部３１に記憶させてもよい。この場合、制御部４０は、受付設定記憶部３１が記憶する設定情報に基づいて、加熱調理の動作を加熱調理部２０に実行させる。
【００３６】
次に、図面を参照して、本実施形態による加熱調理器１の動作について説明する。
図６は、本実施形態による加熱調理器の動作の一例を示すフローチャートである。
ここでは、加熱調理器１が、ユーザの操作により複数の加熱調理の動作を受け付けて、受付板複数の加熱調理の動作を実行する処理について説明する。
【００３７】
図６において、加熱調理器１の制御部４０は、変数Ｎを初期化（Ｎ＝０）する（ステップＳ１０１）。
次に、制御部４０は、変数Ｎに“１”を加算する処理（Ｎ＝Ｎ＋１）を実行する（ステップＳ１０２）。ここで、変数Ｎは、受け付けた加熱調理の動作の数を示している。
【００３８】
次に、制御部４０は、「加熱種類」を入力部１１より受け付ける（ステップＳ１０３）。すなわち、制御部４０は、ユーザ操作により、入力部１１が受け付けた「加熱種類」を取得する。
次に、制御部４０は、温度又は出力（「温度／出力」）を入力部１１より受け付ける（ステップＳ１０４）。すなわち、制御部４０は、ユーザ操作により、入力部１１が受け付けた「温度／出力」を取得する。
【００３９】
次に、制御部４０は、「加熱時間」を入力部１１より受け付ける（ステップＳ１０５）。すなわち、制御部４０は、ユーザ操作により、入力部１１が受け付けた「加熱時間」を取得する。制御部４０は、変数Ｎの値（「ＮＯ．」）と、取得した「加熱種類」、「温度／出力」、及び「加熱時間」とを関連付けて受付設定記憶部３１に記憶させる。
【００４０】
次に、制御部４０は、次の加熱調理の受け付けがあるか否かを判定する（ステップＳ１０６）。制御部４０は、例えば、入力部１１によりユーザから次の加熱調理を設定する指示があるか否かを判定する。制御部４０は、次の加熱調理の受け付けがある場合（ステップＳ１０６：ＹＥＳ）に、処理をステップＳ１０２に戻す。また、制御部４０は、次の加熱調理の受け付けがない場合（ステップＳ１０６：ＮＯ）に、処理をステップＳ１０７に進める。
【００４１】
ステップＳ１０７において、制御部４０は、受け付けた各加熱調理に応じた容器に関する注意事項を表示部１２に表示させる。制御部４０は、例えば、「加熱種類」が“オーブン”である場合、“オーブンのときは、ラップやプラスチック容器を使わないでください。”などの注意事項を表示部１２に表示させる。
【００４２】
次に、制御部４０は、変数Ｉを初期化（Ｉ＝１）する（ステップＳ１０８）。
次に、制御部４０は、加熱調理を開始するか否かを判定する（ステップＳ１０９）。すなわち、制御部４０は、ユーザによって入力部１１の“スタート”キーの押下などの開始を示す操作が行われたか否かを判定する。制御部４０は、加熱調理を開始する場合（ステップＳ１０９：ＹＥＳ）に、処理をステップＳ１１０に進める。制御部４０は、加熱調理を開始しない場合（ステップＳ１０９：ＮＯ）に、ステップＳ１０９の処理を繰り返す。
【００４３】
ステップＳ１１０において、制御部４０は、Ｉ番目に受け付けた加熱調理の動作を実行する。すなわち、制御部４０は、変数Ｉの値に対応する加熱調理の動作を受付設定記憶部３１から読み出し、読み出した加熱調理の動作を加熱調理部２０に実行させる。
例えば、「加熱種類」が“レンジ”の場合には、制御部４０は、加熱調理部２０のマグネトロン２４を制御して、加熱調理を実行させる。また、例えば、「加熱種類」が“ウォーターオーブン”の場合には、制御部４０は、給水ポンプ２１、蒸気発生用ヒータ２２、及びヒータ２３を制御して、加熱調理を実行させる。制御部４０は、上述した「加熱時間」の間、加熱調理を実行する。
【００４４】
加熱調理の実行が完了したら、制御部４０は、変数Ｉと変数Ｎとが等しい（Ｉ＝Ｎ）か否かを判定する（ステップＳ１１１）。制御部４０は、変数Ｉと変数Ｎとが等しい場合（ステップＳ１１１：ＹＥＳ）に、受け付けた加熱調理の動作を全て実行したと判定し、処理をステップＳ１１３に進める。また、制御部４０は、変数Ｉと変数Ｎとが等しくない（又は、Ｉ＜Ｎ）場合（ステップＳ１１１：ＮＯ）に、変数Ｉに“１”を加算する処理（Ｉ＝Ｉ＋１）を実行し（ステップＳ１１２）、処理をステップＳ１０９に戻す。
【００４５】
ステップＳ１１３において、制御部４０は、設定情報を登録するか否かを判定する。すなわち、制御部４０は、ユーザの操作によって入力部１１が登録指示を受け付けたか否かを判定する。制御部４０は、登録指示を受け付けた場合（ステップＳ１１３：ＹＥＳ）に、処理をステップＳ１１４に進める。また、制御部４０は、登録指示を受け付けていない場合（ステップＳ１１３：ＮＯ）に、処理を終了する。
【００４６】
ステップＳ１１４において、制御部４０は、受け付けた加熱調理の動作を登録する。すなわち、制御部４０は、ユーザからの登録指示に応じて、受付設定記憶部３１が記憶する設定情報を登録情報として登録情報記憶部３２に記憶させる。ステップＳ１１４の処理後に、制御部４０は、処理を終了する。
【００４７】
次に、図７及び図８を参照して、本実施形態による複数の加熱調理の動作を実行する場合の一例について説明する。
図７は、本実施形態による複数の加熱調理の動作を実行する場合の一例を示すフローチャートである。また、図８は、本実施形態による複数の加熱調理の動作を実行する場合の表示例を示す図である。
図７及び図８に示す例では、複数の加熱調理の動作を実行する場合の一例として、“レンジ、６００Ｗ、４分”から“オーブン、１７０℃、１０分”の順に連続して加熱調理を実行する場合の例について説明する。
【００４８】
第１加熱（第１の加熱調理）としての“レンジ、６００Ｗ、４分”、及び第２加熱（第２の加熱調理）としての“オーブン、１７０℃、１０分”の設定情報が入力部１１から受け付けられた状態において、制御部４０は、図７に示す処理を開始する。
制御部４０は、まず、受け付けた各加熱調理に応じた容器に関する注意事項を表示部１２に表示させる（ステップＳ２０１）。すなわち、制御部４０は、図８の画像Ｇ２に示すような表示を表示部１２に表示させる。
【００４９】
次に、制御部４０は、“レンジ、６００Ｗ、４分”の加熱調理の動作を実行する（ステップＳ２０２）。すなわち、制御部４０は、図８の画像Ｇ２の状態において、例えば、入力部１１の“ＯＫ”の部分が押されると、図８の画像Ｇ３に示すような表示を表示部１２に表示させる。そして、例えば、ユーザによって入力部１１の“スタート”キーの押下などの開始を示す操作が行われると、制御部４０は、“レンジ、６００Ｗ、４分”の加熱調理の動作を加熱調理部２０に実行させる。ここでは、制御部４０は、連続する複数の加熱調理の動作を加熱調理部２０に実行させる際に、現在実行中の“レンジ、６００Ｗ、４分”とともに、次に実行させる“オーブン、１７０℃、１０分”を表示部１２に表示させる。
【００５０】
また、この“レンジ、６００Ｗ、４分”の加熱調理の動作の際に、制御部４０は、図８の画像Ｇ４に示すように、加熱時間の経過とともに、表示している時間を減らして（カウントダウンして）表示部１２に表示させる処理を行う。また、制御部４０は、“レンジ、６００Ｗ、４分”の加熱調理の動作が完了した場合に、例えば、図８の画像Ｇ５に示すように、次の加熱調理の動作である“オーブン、１７０℃、１０分”の表示を、中央に大きく表示部１２に表示させる。なお、制御部４０は、“レンジ、６００Ｗ、４分”の加熱調理の動作が完了したことを音声により音声出力部１３に出力させてもよい。
また、この場合、次に実行させる加熱調理の動作が存在しないため、制御部４０は、次に実行させる加熱調理の動作を表示部１２に表示させない。
【００５１】
次に、制御部４０は、“オーブン、１７０℃、１０分”の加熱調理の動作を実行する（ステップＳ２０３）。例えば、ユーザによって入力部１１の“スタート”キーの押下などの開始を示す操作が行われると、制御部４０は、“オーブン、１７０℃、１０分”の加熱調理の動作を加熱調理部２０に実行させる。また、この“オーブン、１７０℃、１０分”の加熱調理の動作の際に、制御部４０は、図８の画像Ｇ６に示すように、加熱時間の経過とともに、表示している時間を減らして（カウントダウンして）表示部１２に表示させる処理を行う。制御部４０は、“オーブン、１７０℃、１０分”の加熱調理の動作が完了した場合に、処理を次のステップＳ２０４に進める。なお、制御部４０は、“オーブン、１７０℃、１０分”の加熱調理の動作が完了したことを音声により音声出力部１３に出力させてもよい。
なお、図８の画像Ｇ５及び画像Ｇ６において、制御部４０は、次に実行させる加熱調理の動作が存在しないことを明示する表示を表示部１２にさせるようにしてもよい。
【００５２】
次に、制御部４０は、設定情報を登録するか否かを判定する（ステップＳ２０４）。すなわち、制御部４０は、例えば、図８の画像Ｇ７に示すような表示を表示部１２に表示させ、入力部１１の“ＯＫ”の部分が押されるか否かにより設定情報を登録するか否かを判定する。制御部４０は、設定情報を登録する場合（ステップＳ２０４：ＹＥＳ）に、処理をステップＳ２０５に進める。また、制御部４０は、設定情報を登録しない場合（ステップＳ２０４：ＮＯ）に、処理を終了する。
【００５３】
ステップＳ２０５において、制御部４０は、第１加熱として“レンジ、６００Ｗ、４分”と、第２加熱として“オーブン、１７０℃、１０分”を登録する。すなわち、制御部４０は、第１加熱として“レンジ、６００Ｗ、４分”及び“オーブン、１７０℃、１０分”の設定情報を登録情報として登録情報記憶部３２に記憶させる。ステップＳ２０５の処理後に、制御部４０は、処理を終了する。
【００５４】
なお、上述した本実施形態では、２つの加熱調理の動作を一度に設定する例を説明したが、制御部４０は、３つ以上の複数の加熱調理の動作を一度に設定するようにしてもよい。
また、上述した本実施形態では、制御部４０は、例えば、複数の加熱調理の動作のうちの各加熱調理の動作を実行させた後に、加熱時間の追加や温度又は出力の変更などを入力部１１から受け付けて、追加の加熱調理の動作を実行させるようにしてもよい。
【００５５】
また、制御部４０は、登録情報記憶部３２に記憶されている設定情報に応じた複数の加熱調理の動作を実行させる際に、入力部１１によって、複数の加熱調理のうちの１つの設定時間（加熱時間）が変更された場合に、変更された当該設定時間に応じて、他の加熱調理の設定時間（加熱時間）を変更するようにしてもよい。例えば、上述した“レンジ、６００Ｗ、４分”から“オーブン、１７０℃、１０分”の順に連続して実行する設定情報が登録情報記憶部３２に記憶されているものと仮定する。この仮定において、例えば、“レンジ、６００Ｗ、４分”を“レンジ、６００Ｗ、６分”に変更した場合に、制御部４０は、“レンジ、６００Ｗ、６分”の加熱調理の動作を実行させるとともに、例えば、“オーブン、１７０℃、１０分”を“オーブン、１７０℃、１５分”に変更して、加熱調理の動作を実行させるようにしてもよい。
【００５６】
この場合、制御部４０は、１つの設定時間（加熱時間）が変更された場合に、例えば、１つの設定時間（加熱時間）の変更と同一の割合により他の加熱調理の設定時間（加熱時間）を変更する。また、この場合、制御部４０は、他の加熱調理の設定時間（加熱時間）を変更するか否かをユーザに問い合わせるようにしてもよい。なお、入力部１１が受け付ける設定情報に、調理する被加熱物の量（例えば、食材の重さ（ｇ（グラム））など）を追加して、制御部４０は、設定された調理する被加熱物の量に応じて、設定時間（加熱時間）を変更するようにしてもよい。
【００５７】
また、上述した本実施形態では、入力部１１が、動作条件を含む加熱調理の動作を複数受け付ける例を説明したが、加熱調理器１に予め登録されている調理メニューの加熱調理の前後に任意の加熱調理を追加するようにしてもよい。この場合、入力部１１は、調理メニューの選択を受け付けるとともに、その前後に追加する加熱調理の動作を受け付ける。そして、制御部４０は、選択された調理メニューに対応する加熱調理の動作、及び追加された加熱調理の動作を加熱調理部２０に実行させる。
【００５８】
また、上述した加熱調理には、被加熱物を冷ます調理動作（冷却調理）を含めてもよい。例えば、入力部１１が、“レンジ、６００Ｗ、４分”の後に、“冷まし、３５℃”を受け付け、制御部４０が、“レンジ、６００Ｗ、４分”の動作の後に、“冷まし、３５℃”の動作を加熱調理部２０に実行させるようにしてもよい。なお、制御部４０は、蒸気発生用ヒータ２２、ヒータ２３、及びマグネトロン２４を停止させた状態で、加熱調理部２０が備える不図示の吸気ファン及び排気ファンを動作させる、又は何も動作させずに放置することで被加熱物を冷ます調理動作（冷却調理）を実行させる。これにより、加熱調理器１は、例えば、調理が完了した後（料理が仕上がった後）に、食べやすい温度、又は食するのに最適な温度（美味しい温度など）に冷ますことができる。
【００５９】
また、上述した本実施形態では、制御部４０は、各加熱調理の動作に応じた使用器具に関する注意を促す情報などを表示部１２に出力させる例を説明したが、音声出力部１３に、音声により出力させるようにしてもよい。また、制御部４０は、各加熱調理の動作に応じた使用器具に関する注意を促す情報などを表示部１２と音声出力部１３とを併用して出力させるようにしてもよい。すなわち、制御部４０は、画像及び音声を併用して、注意や警告などの情報をユーザに提示するようにしてもよい。
【００６０】
以上説明したように、本実施形態による加熱調理器１は、加熱調理部２０と、入力部１１と、制御部４０とを備えている。加熱調理部２０（調理実行部）は、少なくとも加熱調理を含む調理動作を実行する。入力部１１は、連続する複数の調理動作（例えば、加熱調理の動作）を設定する設定情報を受け付け可能である。制御部４０は、入力部１１が受け付けた設定情報に応じた複数の調理動作を、連続して加熱調理部２０に実行させる。
これにより、本実施形態による加熱調理器１は、一度に複数の調理動作を設定して、複数の調理動作を例えば、連続して実行することができる。本実施形態による加熱調理器１は、調理動作を毎回設定する必要がないので、利便性を向上させることができる。
【００６１】
また、本実施形態では、入力部１１は、複数の調理動作のそれぞれの動作条件を含む情報を設定情報として受け付ける。制御部４０は、動作条件に基づく複数の調理動作を、連続して加熱調理部２０に実行させる。
これにより、ユーザが調理動作の動作条件を設定するので、本実施形態による加熱調理器１は、自由度の高い調理動作（例えば、加熱調理の動作）を連続して実行することができる。
【００６２】
また、本実施形態による加熱調理器１は、ユーザに情報を出力する出力部（例えば、表示部１２又は音声出力部１３）を備えている。加熱調理部２０は、複数種類の調理動作（例えば、複数種類の加熱調理の動作）を実行可能である。制御部４０は、種類の異なる調理動作の動作を連続して実行する場合に、各調理動作に応じた使用器具に関する注意を促す情報を出力部に出力させる。なお、調理動作の種類には、例えば、マイクロ波により加熱する電子レンジと、電熱器の発熱に基づいて加熱するオーブンとが含まれる。
これにより、本実施形態による加熱調理器１は、種類の異なる調理動作（例えば、加熱調理の動作）を連続して実行する場合に、誤った使用器具を使用してしまう可能性を低減させることができる。
【００６３】
また、本実施形態では、使用器具に関する注意を促す情報には、各調理動作において使用不可能な容器を示す情報が含まれる。
これにより、本実施形態による加熱調理器１は、種類の異なる調理動作を連続して実行する場合に、各調理動作において使用不可能な容器が使用されることを未然に防ぐことができる。
【００６４】
また、本実施形態では、上述した出力部には、表示部１２が含まれる。制御部４０は、連続する複数の調理動作を加熱調理部２０に実行させる際に、第１の調理動作を示す情報を表示部１２に表示させるとともに、第１の調理動作の次に実行させる第２の調理動作を示す情報を表示部１２に表示させる。
これにより、本実施形態による加熱調理器１は、現在実行中の調理動作をユーザに視認させることができるとともに、次に実行させる調理動作をユーザに視認させることができる。本実施形態による加熱調理器１は、例えば、次の調理動作を確認できるので、調理動作の不注意の設定による調理の失敗を未然に防止することができる。よって、本実施形態による加熱調理器１は、さらに利便性を向上させることができる。
【００６５】
また、本実施形態による加熱調理器１は、設定情報を記憶する記憶部３０（登録情報記憶部３２）を備えている。制御部４０は、入力部１１が受け付けた登録を指示する登録指示に応じて、入力部１１が受け付けた設定情報を記憶部３０に記憶させる。また、制御部４０は、記憶部３０に記憶されている設定情報のうちの少なくとも１つを指定する指定情報を入力部１１が受け付けた場合に、当該指定情報によって指定された設定情報に応じた複数の調理動作を、連続して加熱調理部２０に実行させる。
これにより、本実施形態による加熱調理器１は、入力部１１が一度受け付けた設定情報を登録することが可能になり、登録した設定情報により、複数の調理動作を連続して加熱調理部２０に実行させることが可能になる。よって、本実施形態による加熱調理器１は、種類の異なる調理動作を連続して実行する場合において、より利便性を向上させることができる。
【００６６】
また、上述した設定情報は、複数の調理動作それぞれの設定時間（例えば、加熱時間）が含まれる。制御部４０は、記憶部３０（登録情報記憶部３２）に記憶されている設定情報に応じた複数の調理動作を実行させる際に、入力部１１によって、複数の調理動作のうちの１つの設定時間が変更された場合に、変更された当該設定時間に応じて、他の調理動作の設定時間を変更するようにしてもよい。
これにより、本実施形態による加熱調理器１は、１つの調理動作の設定時間（例えば、加熱時間）を変更することで、連続する他の調理動作の設定時間（例えば、加熱時間）を自動的に変更することができるので、ユーザが各調理動作の設定変更を行う手間を省くことができる。よって、本実施形態による加熱調理器１は、より利便性を向上させることができる。
【００６７】
［第２の実施形態］
ところで、近年、加熱調理器などにおいて、キャラクターを表示させるものがある。しかしながら、このような従来の加熱調理器では、キャラクターの使用は、単調なもので変化に乏しく、ユーザに積極的に加熱調理器を使用してみたいと思わせるようなものではなかった。そこで、本実施形態では、キャラクターを使用することにより、機器の使用（利用）を活性化することが可能な加熱調理器について、図面を参照して説明する。
【００６８】
図９は、本実施形態による加熱調理器１ａの一例を示す機能ブロック図である。なお、加熱調理器１ａの外観図については、図１に示す加熱調理器１と同様であるので、ここではその説明を省略する。
図９に示すように、加熱調理器１ａは、操作パネル部１０と、音声出力部１３と、通信部１４と、加熱調理部２０と、記憶部３０ａと、制御部４０ａとを備えている。
また、この図において、図２に示す構成と同一の構成については同一の符号を付し、その説明を省略する。
【００６９】
通信部１４は、例えば、無線ＬＡＮ（Local Area Network）により、ネットワークＮＴを介して、携帯端末２又はサーバ装置３に接続可能である。通信部１４は、例えば、携帯端末２又はサーバ装置３との間で情報の送受信を行う。
【００７０】
記憶部３０ａは、加熱調理器１ａを動作させる際に利用される各種情報を記憶する。記憶部３０ａは、例えば、ランク情報記憶部３３と、キャラクター情報記憶部３４とを備えている。
ランク情報記憶部３３は、現在ランク付けされている加熱調理器１ａのキャラクターに関するランク情報を記憶する。ランク情報記憶部３３は、例えば、図１０に示すように、「機器ＩＤ」と、「キャラランク」と、「使用回数」とを関連付けて記憶する。
【００７１】
図１０は、本実施形態におけるランク情報記憶部３３のデータ例を示す図である。
ここで、「機器ＩＤ」は、加熱調理器１ａを識別する識別情報である。また、「キャラランク」は、加熱調理器１ａに割り当てられたキャラクターの現在のランク（レベル）を示している。また、「使用回数」は、加熱調理器１ａの使用された回数を示す情報である。「使用回数」には、例えば、各加熱調理の種類の加熱調理が実行された回数（使用状況の一例）を示している。なお、「キャラランク」は、当該加熱調理器１ａの使用状況（例えば、使用回数）に応じて決定されている。
【００７２】
図１０に示す例では、「機器ＩＤ」が“ＸＸＸＸＸ”である加熱調理器１ａの使用回数が、「レンジ」が“１００”、「オーブン」が“５０”、「ウォーターオーブン」が“４０”、「蒸し物」が“５”であることを示している。また、「機器ＩＤ」が“ＸＸＸＸＸ”である加熱調理器１ａにおけるキャラクターのランクは、上述した「使用回数」に基づいて、ランク“５”であることを示している。
【００７３】
図９の説明に戻り、キャラクター情報記憶部３４は、キャラクター情報を記憶する。キャラクター情報記憶部３４は、例えば、図１１に示すように、「キャラランク」と、「キャラクター情報」とを関連付けて記憶する。ここで、「キャラクター情報」は、各キャラクターを示し情報（例えば、キャラクターの画像情報など）である。
図１１に示す例では、「キャラランク」が“１”である場合に、「キャラクター情報」が“Ａキャラクター”であることを示し、「キャラランク」が“２”である場合に、「キャラクター情報」が“Ｂキャラクター”であることを示している。
【００７４】
再び図９の説明に戻り、制御部４０ａは、例えば、ＣＰＵなどを含むプロセッサであり、加熱調理器１ａを統括的に制御する。制御部４０ａは、例えば、ユーザの操作によって入力部１１が受け付けた加熱調理の動作の指示に基づいて、加熱調理部２０の各部を制御し、加熱調理を実行させる。また、制御部４０は、例えば、表示部１２又は音声出力部１３を制御し、例えば、操作指示や警告などのユーザに提示する情報をユーザに出力させる。また、制御部４０ａは、例えば、通信部１４を介して、携帯端末２又はサーバ装置３との間で情報の送受信を行う。
【００７５】
また、制御部４０ａは、加熱調理部２０の使用状況に応じて、キャラクターを変化させる。すなわち、制御部４０ａは、例えば、加熱調理部２０の使用状況に応じて、「キャラランク」を決定し、決定した「キャラランク」に対応する「キャラクター情報」をキャラクター情報記憶部３４から取得する。制御部４０ａは、取得した「キャラクター情報」を当該加熱調理器１ａのキャラクターとして表示部１２に表示させる。
なお、制御部４０ａは、加熱調理器１ａを使用するごとに、例えば、ランク情報記憶部３３の「使用回数」を更新し、当該「使用回数」に基づいて、「キャラランク」を変更（決定）する。制御部４０ａは、ランク情報記憶部３３が記憶する「キャラランク」に基づいて、キャラクター情報記憶部３４から「キャラクター情報」を取得する。
【００７６】
このように本実施形態では、加熱調理器１ａを使用する程、「キャラランク」が上がり、加熱調理器１ａのキャラクターの表示が変化して成長して行くことになる。
なお、制御部４０ａは、「使用回数」の代わりに使用したメニュー数や難易度の高いメニューを実行したなどにより、「キャラランク」を変更（決定）してもよい。制御部４０ａは、調理に使用したメニュー数、及び使用回数に基づいて、当該機器をランク分けし、ランクに応じて、キャラクターを変化させるようにしてもよい。
【００７７】
図１２は、本実施形態におけるキャラクターの変化の一例を示す図である。
この図において、キャラクターＣＨ１は、例えば、「キャラランク」が“１”（ランク１）の表示形状であり、キャラクターＣＨ２は、例えば、成長した「キャラランク」が“１０”（ランク１０）の表示形状である。このように、制御部４０ａは、表示部１２に表示させるキャラクターの形状を「キャラランク」に応じて変化させる。なお、制御部４０ａは、キャラクターの形状の代わりに、“ビギナー”、“マスター”、“ベテラン”、“プロ”などキャラクターに記載する文言により、「キャラランク」に応じたキャラクターをランク分けしてもよい。また、制御部４０ａは、キャラクターの形状と、記載する文言とを組み合わせて、「キャラランク」に応じたキャラクターをランク分けしてもよい。
【００７８】
再び図９の説明に戻り、携帯端末２は、例えば、スマートフォンなどの携帯電話であり、加熱調理器１ａとネットワークＮＴを介して接続することにより、加熱調理器１ａとの間の情報交換、及び加熱調理器１ａの操作などを行う。携帯端末２は、例えば、ネットワークＮＴを介して加熱調理器１ａに加熱調理の予約や、加熱調理器１ａの状態の確認などを実行する。この加熱調理器１ａと接続した際に、携帯端末２は、加熱調理器１ａに対応する「キャラランク」のキャラクターを表示させてもよい。この場合、携帯端末２は、例えば、加熱調理器１ａから「キャラクター情報」を取得し、携帯端末２の表示部に表示させる。
【００７９】
サーバ装置３は、例えば、加熱調理器１ａのユーザを対象としたコミュニティサービスを提供するコンピュータ装置である。サーバ装置３は、加熱調理器１ａとネットワークＮＴを介して接続することにより、加熱調理器１ａから「キャラクター情報」と「機器ＩＤ」とを取得し、コミュニティサービスにおいて加熱調理器１ａによりランク分けされたキャラクターを利用する。例えば、加熱調理器１ａからサーバ装置３が提供するコミュニティサービスに、メニューやレシピなどを投稿する際に、サーバ装置３は、メニューやレシピなどの情報と「キャラクター情報」と関連付けて記憶する。これにより、サーバ装置３から加熱調理器１ａに、メニューやレシピなどをダウンロードする（取得する）際に、ユーザは、投稿者の「キャラランク」を知ることができ、メニューやレシピなどをダウンロードする（取得する）判断基準にすることができる。また、コミュニティサービスにおいて、“ベテラン”から“ビギナー”がアドバイスを受けるなどの意見交換に利用することができる。
【００８０】
次に、図１３を参照して、本実施形態による加熱調理器１ａの動作について説明する。
図１３は、本実施形態による加熱調理器１ａの動作の一例を示すフローチャートである。ここでは、加熱調理器１ａのキャラクターを変更する（変化させる）処理の一例について説明する。
この図に示すように、制御部４０ａは、加熱調理が実行したか否かを判定する（ステップＳ３０１）。制御部４０ａは、加熱調理が実行した場合（ステップＳ３０１：ＹＥＳ）に、処理をステップＳ３０２に進める。また、制御部４０ａは、加熱調理が実行していない場合（ステップＳ３０１：ＮＯ）に、ステップＳ３０１の処理を繰り返す。
【００８１】
ステップＳ３０２において、制御部４０ａは、対応する加熱調理の使用回数を更新する。すなわち、制御部４０ａは、ランク情報記憶部３３が記憶する「使用回数」のうち、使用した加熱調理の種類に対応する値に“１”を加算した値を記憶させる。
【００８２】
次に、制御部４０ａは、「使用回数」に応じたキャラクターのランクを決定する（ステップＳ３０３）。制御部４０ａは、例えば、ランク情報記憶部３３が記憶する「使用回数」に基づいて、キャラクターのランクを決定し、決定したキャラクターのランクをランク情報記憶部３３の「キャラランク」に記憶させる。なお、制御部４０ａは、各「使用回数」と、加熱調理の種類の重み付けとに基づいて獲得ポイントを算出し、「使用回数」に代えて、算出した獲得ポイントに基づいて、キャラクターのランクを決定してもよい。この場合、キャラクター情報記憶部３４は、「獲得ポイント」と、「キャラランク」と、「キャラクター情報」とを関連付けて記憶するようにして、制御部４０ａは、「獲得ポイント」に関連付けてキャラクター情報記憶部３４が記憶する「キャラランク」によりにキャラクターのランクを決定してもよい。また、制御部４０ａは、「使用回数」から例えば、経験値及び習熟度を算出し、使用回数」に代えて、算出した経験値及び習熟度に基づいて、キャラクターのランクを決定してもよい。
【００８３】
次に、制御部４０ａは、決定したキャラクターのランクに対応するキャラクターを表示するキャラクターに設定する（ステップＳ３０４）。制御部４０ａは、例えば、ランク情報記憶部３３が記憶する「キャラランク」に対応する「キャラクター情報」をキャラクター情報記憶部３４から取得して、加熱調理器１ａのキャラクターとして設定する。すなわち、制御部４０ａは、加熱調理器１ａのキャラクターを表示部１２に表示するように設定する。ステップＳ３０４の処理後に、制御部４０ａは、キャラクターを変更する（変化させる）処理を終了する。
【００８４】
なお、上述した図１３に示す例では、制御部４０ａは、加熱調理を実行した際に、加熱調理器１ａのキャラクターを変更する処理を行っているが、所定の期間ごとに定期的に、上述したステップＳ３０２からステップＳ３０４の加熱調理器１ａのキャラクターを変更する処理を実行するようにしてもよい。
【００８５】
以上説明したように、本実施形態による加熱調理器１ａは、加熱調理部２０と、表示部１２と、制御部４０ａとを備えている。加熱調理部２０は、加熱調理を実行する。表示部１２は、キャラクターを表示する。制御部４０ａは、加熱調理部２０の使用状況（例えば、使用回数）に応じて、キャラクターを変化させる。例えば、制御部４０ａは、調理に使用したメニュー数、及び使用回数に基づいて、当該機器をランク分けし、ランクに応じて、キャラクターを変化させる。
これにより、加熱調理部２０の使用によりキャラクターが成長するので、本実施形態による加熱調理器１ａは、積極的に加熱調理器１ａを使用する動機付けとなり、加熱調理器１ａの使用を活性化することができる。また、本実施形態による加熱調理器１ａは、コミュニティサービスにおいて、キャラクターを利用することにより、ユーザ間の交流を活性化させることができる。これにより、本実施形態による加熱調理器１ａは、加熱調理器１ａの活用の幅を広げることができるので、利便性を向上させることができる。
【００８６】
また、本実施形態では、制御部４０ａは、加熱調理の使用回数と、加熱調理の種類に応じた重み付けとに基づいて、キャラクターのランクを決定し、決定した当該ランクに対応したキャラクターに変化させてもよい。
これにより、例えば、ユーザに使用させたい加熱調理の種類の重み付けを上げるなどすることにより、本実施形態による加熱調理器１ａは、ユーザの加熱調理器１ａを利用する技量を向上させることができる。
【００８７】
なお、本実施形態において、加熱調理器１ａごとにキャラクターを設定する例を説明したが、ユーザごとにキャラクターを設定するようにしてもよい。この場合、キャラクターのランクは、各ユーザの使用状況に応じて、決定される。
また、本実施形態において、加熱調理器１ａがキャラクターのランクを決定する例を説明したが、サーバ装置３が、加熱調理器１ａから使用状況を取得して、キャラクターのランクを決定するようにしてもよい。また、サーバ装置３が、ランクに対応したキャラクター情報を記憶し、加熱調理器１ａが、ランクに対応したキャラクター情報をサーバ装置３から取得するようにしてもよい。
【００８８】
［第３の実施形態］
ところで、近年、加熱調理器などの家電機器には、スマートフォンなどの携帯端末と接続（ペアリンク）し、家電機器と携帯端末とを連携して使用する家電システムが知られている。
しかしながら、このような従来の家電システムにおいて、例えば、携帯端末に接続可能な家電機器が複数存在する場合に、目的の家電機器と接続が確立されたのかが分かり難い場合があった。そこで、本実施形態では、目的の家電機器と接続が確立されたのかを分かり易く報知する家電システムについて、図面を参照して説明する。
【００８９】
図１４は、本実施形態による家電システム１００の一例を示す機能ブロック図である。
この図に示すように、家電システム１００は、ネットワークＮＴを介して接続される携帯端末２と、家電機器４−１、家電機器４−２、・・・とを備えている。
家電機器４−１は、例えば、加熱調理器であり、操作パネル部１０と、音声出力部１３と、通信部１４と、加熱調理部２０と、記憶部３０ｂと、制御部４０ｂとを備えている。この図において、図２に示す構成と同一の構成については同一の符号を付し、その説明を省略する。
【００９０】
また、家電機器４−２は、例えば、冷蔵庫であり、表示部１２、音声出力部１３、通信部１４、及び制御部４０ｂを備えている。ここで、家電機器４−２の表示部１２、音声出力部１３、通信部１４、及び制御部４０ｂは、携帯端末２との接続処理において、家電機器４−１の表示部１２、音声出力部１３、通信部１４、及び制御部４０ｂと同様に機能する。
なお、家電機器４−１、家電機器４−２、・・・は、表示部１２、音声出力部１３、通信部１４、及び制御部４０ｂに関して同一の構成であり、家電システム１００が備える任意の家電機器を示す場合、又は特に区別しない場合には、家電機器４として説明する。
【００９１】
本実施形態の携帯端末２は、例えば、スマートフォンなどの携帯電話であり、家電機器４とネットワークＮＴを介して接続することにより、家電機器４との間の情報交換、及び家電機器４の操作などを行う。
【００９２】
記憶部３０ｂは、家電機器４−１（加熱調理器）を動作させる際に利用される各種情報を記憶する。
制御部４０ｂは、例えば、ＣＰＵなどを含むプロセッサであり、家電機器４を統括的に制御する。制御部４０ｂは、例えば、携帯端末２から通信部１４に、通信接続を要求する接続要求があり、当該携帯端末２との通信接続が確立された場合に、当該携帯端末２と接続されたことを示す情報を表示部１２に出力させる。また、制御部４０ｂは、この場合、当該携帯端末２と接続されたことを示す情報を音声により音声出力部１３に出力させてもよい。
【００９３】
次に、本実施形態による家電システム１００の動作について、図１５を参照して説明する。
図１５は、本実施形態による家電システムの動作の一例を示す図である。
携帯端末２（端末装置の一例）は、複数ある家電機器４のうちの１つに接続しようとした場合に、図１５の画像Ｇ８に示すような接続可能な家電機器４のリストを表示部に表示する。なお、この例では、接続可能な家電機器４は、“レンジちゃん”及び“冷蔵庫さん”の２つがあり、図１４に示す家電機器４−１（加熱調理器）及び家電機器４−２（冷蔵庫）が対応する。
【００９４】
次に、携帯端末２は、図１５の画像Ｇ９に示すような家電機器４の選択画面を表示部に表示する。ここで、ユーザによって“レンジちゃん”が選択された場合に、携帯端末２は、図１５の画像Ｇ１０に示すような“レンジちゃんＯＫ？”というメッセージを表示部に表示し、“レンジちゃん”に対応する家電機器４−１に接続要求を送信する。
【００９５】
次に、携帯端末２と家電機器４−１との間で通信接続が確立された場合に、家電機器４−１は、図１５の画像Ｇ１１に示すような“レンジちゃんＯＫ！”というメッセージを表示部１２に表示する。また、家電機器４−１は、音声により“レンジちゃんＯＫ！”というメッセージを音声出力部１３に出力する。すなわち、制御部４０ｂは、“レンジちゃんＯＫ！”というメッセージを表示部１２に表示させるとともに、“レンジちゃんＯＫ！”という音声を音声出力部１３に出力させる。これにより、ユーザは、携帯端末２と家電機器４−１とが確実に接続されたことを認識することができる。
【００９６】
次に、図１６を参照して、本実施形態による家電機器４の動作について説明する。
図１６は、本実施形態による家電機器４の動作の一例を示すフローチャートである。
この図において、家電機器４の制御部４０ｂは、まず、携帯端末２からの接続要求があるか否かを判定する（ステップＳ４０１）。制御部４０ｂは、例えば、通信部１４を介して、携帯端末２からの接続要求があるか否かを判定する。制御部４０ｂは、携帯端末２からの接続要求がある場合（ステップＳ４０１：ＹＥＳ）に、処理をステップＳ４０２に進める。また、制御部４０ｂは、携帯端末２からの接続要求がない場合（ステップＳ４０１：ＮＯ）に、ステップＳ４０１の処理を繰り返す。
【００９７】
ステップＳ４０２において、制御部４０ｂは、携帯端末２との接続を確立する。すなわち、制御部４０ｂは、通信部１４を介して、携帯端末２との接続の確立を試みる。
次に、制御部４０ｂは、携帯端末２との接続が“ＯＫ”（成功）であるか否かを判定する（ステップＳ４０３）。制御部４０ｂは、携帯端末２との接続が“ＯＫ”（成功）である場合（ステップＳ４０３：ＹＥＳ）に、処理をステップＳ４０４に進める。また、制御部４０ｂは、携帯端末２との接続が“ＯＫ”でない場合（ステップＳ４０３：ＮＯ）に、処理をステップＳ４０５に進める。
【００９８】
ステップＳ４０４において、制御部４０ｂは、接続“ＯＫ”（成功）を示す情報を出力する。すなわち、制御部４０ｂは、例えば、“レンジちゃんＯＫ！”などのメッセージを表示部１２に表示させるとともに、“接続“ＯＫ”（成功）を示す音声を音声出力部１３に出力させる。ステップＳ４０４の処理後に、制御部４０ｂは、携帯端末２との接続の確立処理を終了する。
【００９９】
また、ステップＳ４０５において、制御部４０ｂは、接続“ＮＧ”（失敗）を示す情報を出力する。すなわち、制御部４０ｂは、例えば、“レンジちゃんエラー！”などのメッセージを表示部１２に表示させるとともに、接続“ＮＧ”（失敗）を示す音声を音声出力部１３に出力させる。ステップＳ４０５の処理後に、制御部４０ｂは、携帯端末２との接続の確立処理を終了する。
【０１００】
なお、上述した本実施形態では、家電機器４と携帯端末２とが接続されたことを示す情報を家電機器４の表示部１２に出力させる例を説明したが、家電機器４の表示部１２とともに、携帯端末２の表示部に出力させるようにしてもよい。
また、上述した本実施形態では、家電機器４が、加熱調理器、及び冷蔵庫である例を説明したが、炊飯器、空調機などの他の家電機器に適用してもよい。
【０１０１】
また、上述した本実施形態では、携帯端末２から通信部１４を介して家電機器４に接続要求を送信する例を説明したが、例えば、家電機器４が音声認識機能を備え、ユーザの“レンジちゃん”などの声による呼びかけを認識して、携帯端末２との接続の確立を試みるようにしてもよい。
また、上述した本実施形態では、接続が確立した後に、携帯端末２と接続されたことを示す情報を出力する例を説明したが、接続が確立する前に、“レンジちゃんは、わたしです！”のような情報を指定した家電機器４が出力して、接続先の家電機器４を確認するようにしてもよい。この場合、携帯端末２は、接続先を確認した後に、接続が確立する指示を家電機器４に送信する。
【０１０２】
以上説明したように、本実施形態による家電システム１００では、家電機器４が、通信部１４と、出力部（例えば、表示部１２及び音声出力部１３）と、制御部４０ｂとを備えている。通信部１４は、携帯端末２（端末装置）と接続可能である。出力部（例えば、表示部１２及び音声出力部１３）は、情報を出力する。制御部４０ｂは、携帯端末２から通信部１４に、通信接続を要求する接続要求があり、当該携帯端末２との通信接続が確立された場合に、当該携帯端末２と接続されたことを示す情報を出力部に出力させる。
これにより、ユーザは、携帯端末２との接続先の家電機器４を認識することができるので、本実施形態による家電システム１００は、目的の家電機器４と携帯端末２とを確実に接続させることができる。よって、本実施形態による家電システム１００は、携帯端末２と家電機器４との間の接続処理において、利便性を向上させることができる。
【０１０３】
なお、本発明は、上記の各実施形態に限定されるものではなく、本発明の趣旨を逸脱しない範囲で変更可能である。
例えば、上記の各実施形態は、独立して実施される例を説明したが、組み合わせて実施されてもよい。
また、上記の各実施形態において、表示部１２は、液晶表示装置である例を説明したが、これに限定されるものではなく、有機ＥＬ（Electro-Luminescence）ディスプレイなどの他の表示装置であってもよい。
【０１０４】
また、上記の各実施形態において、加熱調理器１（１ａ）は、一例として、レンジ、オーブン／グリル、ウォーターオーブン／ウォーターグリルに対応する調理器の例を説明したが、これに限定されるものではない。例えば、加熱調理器１（１ａ）は、レンジ、オーブン／グリル、ウォーターオーブン／ウォーターグリルのうちの１つ、又は一部に対応する調理器であってもよい。また、加熱調理器は、例えば、高速空気循環技術を利用して過熱する調理器、オーブントースタ、ホットプレートなどの他の調理機器であってもよい。
【０１０５】
また、上記の第２及び第３の実施形態において、通信部１４は、無線ＬＡＮにより携帯端末２と通信する例を説明したが、これに限定されるものではない。通信部１４は、例えば、Bluetooth（登録商標）、赤外線インターフェイス、ＮＦＣ（Near field communication：近距離無線通信）などの他の通信方式により携帯端末２と通信するようにしてもよい。
また、上記の第２及び第３の実施形態において、携帯端末２は、端末装置の一例として、スマートフォンなどの携帯電話である例を説明したが、これに限定されるものではなく、ＰＤＡ（Personal Digital Assistant）などの情報端末であってもよい。
【０１０６】
なお、上述した加熱調理器１（１ａ）及び家電システム１００は、内部に、コンピュータシステムを有している。そして、上述した加熱調理器１（１ａ）及び家電システム１００が備える各構成の機能を実現するためのプログラムをコンピュータ読み取り可能な記録媒体に記録して、この記録媒体に記録されたプログラムをコンピュータシステムに読み込ませ、実行することにより上述した加熱調理器１（１ａ）及び家電システム１００が備える各構成における処理を行ってもよい。なお、ここでいう「コンピュータシステム」とは、加熱調理器１（１ａ）及び家電システム１００に内蔵されたコンピュータシステムであって、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間、動的にプログラムを保持するもの、その場合のサーバやクライアントとなるコンピュータシステム内部の揮発性メモリのように、一定時間プログラムを保持しているものも含んでもよい。また上記プログラムは、前述した機能の一部を実現するためのものであってもよく、さらに前述した機能をコンピュータシステムにすでに記録されているプログラムとの組み合わせで実現できるものであってもよい。
【０１０７】
また、上述した機能の一部又は全部を、ＬＳＩ（Ｌａｒｇｅ  Ｓｃａｌｅ  Ｉｎｔｅｇｒａｔｉｏｎ）等の集積回路として実現してもよい。上述した各機能は個別にプロセッサ化してもよいし、一部、又は全部を集積してプロセッサ化してもよい。また、集積回路化の手法はＬＳＩに限らず専用回路、又は汎用プロセッサで実現してもよい。また、半導体技術の進歩によりＬＳＩに代替する集積回路化の技術が出現した場合、当該技術による集積回路を用いてもよい。
【符号の説明】
【０１０８】
１，１ａ…加熱調理器、２…携帯端末、３…サーバ装置、４，４−１，４−２…家電機器、１０…操作パネル部、１１…入力部、１２…表示部、１３…音声出力部、１４…通信部、２０…加熱調理部、２１…給水ポンプ、２２…蒸気発生用ヒータ、２３…ヒータ、２４…マグネトロン、２５…冷却ファン、２６…庫内温度センサ、３０，３０ａ，３０ｂ…記憶部、３１…受付設定記憶部、３２…登録情報記憶部、３３…ランク情報記憶部、３４…キャラクター情報記憶部、４０，４０ａ、４０ｂ…制御部、１００…家電システム
【図１】
0006567266.tif 000002
【図２】
0006567266.tif 000003
【図３】
0006567266.tif 000004
【図４】
0006567266.tif 000005
【図５】
0006567266.tif 000006
【図６】
0006567266.tif 000007
【図７】
0006567266.tif 000008
【図８】
0006567266.tif 000009
【図９】
0006567266.tif 000010
【図１０】
0006567266.tif 000011
【図１１】
0006567266.tif 000012
【図１２】
0006567266.tif 000013
【図１３】
0006567266.tif 000014
【図１４】
0006567266.tif 000015
【図１５】
0006567266.tif 000016
【図１６】
0006567266.tif 000017